(57)【特許請求の範囲】
【請求項１】
絶縁性の基台に、電気機器側に接続される機器側端子部と、接地側に接続される接地側端子部を設け、該接地側端子部又は前記機器側端子部の一方に設けられた支点を中心に回動して他方に係合可能な可動プレートを有し、該可動プレートにより前記接地側端子部と前記機器側端子部との間を接続及び切断する接地用端子装置であって、
該接地用端子装置の前記接地側端子部と前記機器側端子部との間には、前記可動プレートが前記支点を中心に回動して前記接地側端子部又は前記機器側端子部に係合した状態のときにスイッチが前記可動プレートの中間部分に当接してＯＮ状態となって前記接地側端子部と前記機器側端子部とが接続されたことを検出すると共に、前記可動プレートが前記支点を中心に回動して前記接地側端子部又は前記機器側端子部との係合を解除した状態のときに前記スイッチが前記可動プレートの前記中間部分と離反してＯＦＦ状態となって前記接地側端子部と前記機器側端子部とが切断されたことを検出する可動プレート検出手段を設け、
該可動プレート検出手段の信号により、前記接地側端子部と前記機器側端子部が接続されているときに前記電気機器の運転を可能とし、前記接地側端子部と前記機器側端子部が切断されているときに前記電気機器の運転を不可能とする保安回路を設けており、
前記可動プレート検出手段は、絶縁性のブラケットで前記基台に固着されていると共に、前記スイッチにおける前記可動プレートの前記中間部分との当接箇所が樹脂で形成されていることを特徴とする接地用端子装置。
【発明の詳細な説明】
【技術分野】
【０００１】
本発明は、制御盤等に取り付けられ、電気機器や電気回路等をアースするのに利用される接地用端子装置に関する。
【背景技術】
【０００２】
各種電気機器を備えた機械装置等の制御装置付近に落雷があると、雷サージが接地側より機器側に進入し機器の損傷を招くため、これを防止するためにサージ防護装置や過電圧保護器等の電気部品による対策が行われる。しかしながら、これらの部品は高額であるとともに、繰り返し雷サージを受けることによりいずれは劣化して損傷に至る消耗部品である。
【０００３】
このような雷による被害を予防する対策として、スキーリフト等のように一定期間しか設備を稼働せず長期にわたって運休期間がある設備においては、この運休期間中に電気機器側と接地側とを接続している端子台において接続を切断し、接地側からの雷サージの進入を防止する方法が用いられる。
【０００４】
接地用端子台は種々のものがあるが、接地抵抗測定時の利便性を考慮して、機器側の端子と接地側の端子間を連結、切断可能にプレートを架け渡すようにしたものがある（例えば特許文献１参照）。上記のように接地側を切断する場合には、このような端子台を用いておけば容易に接地側との接続を切断することができる。
【特許文献１】特開２００３−１０９６８４号公報
【発明の開示】
【発明が解決しようとする課題】
【０００５】
しかしながら、上記のように長期にわたって接地を切断した場合には、設備の稼働を再開するのに際して接地の接続を忘れてしまうおそれがある。そして、このように電気機器類の接地が行われずに設備が稼働されると、万が一電気機器の漏電等が起きた場合には漏電火災や感電等の事故が発生する可能性がある。
【０００６】
本発明の課題は、このような事情に鑑みてなされたものであって、設備の稼働時に電気機器類の接地接続を忘れることなく確実に行うことのできる接地用端子装置の提供にある。
【課題を解決するための手段】
【０００７】
このような課題を解決するために本発明は、絶縁性の基台に、電気機器側に接続される機器側端子部と、接地側に接続される接地側端子部を設け、該接地側端子部又は前記機器側端子部の一方に設けられた支点を中心に回動して他方に係合可能な可動プレートを有し、該可動プレートにより前記接地側端子部と前記機器側端子部との間を接続及び切断する接地用端子装置であって、該接地用端子装置の前記接地側端子部と前記機器側端子部との間には、前記可動プレートが前記支点を中心に回動して前記接地側端子部又は前記機器側端子部に係合した状態のときにスイッチが前記可動プレートの中間部分に当接してＯＮ状態となって前記接地側端子部と前記機器側端子部とが接続されたことを検出すると共に、前記可動プレートが前記支点を中心に回動して前記接地側端子部又は前記機器側端子部との係合を解除した状態のときに前記スイッチが前記可動プレートの前記中間部分と離反してＯＦＦ状態となって前記接地側端子部と前記機器側端子部とが切断されたことを検出する可動プレート検出手段を設け、該可動プレート検出手段の信号により、前記接地側端子部と前記機器側端子部が接続されているときに前記電気機器の運転を可能とし、前記接地側端子部と前記機器側端子部が切断されているときに前記電気機器の運転を不可能とする保安回路を設けており、前記可動プレート検出手段は、絶縁性のブラケットで前記基台に固着されていると共に、前記スイッチにおける前記可動プレートの前記中間部分との当接箇所が樹脂で形成されていることを特徴としている。
【発明の効果】
【０００８】
本発明においては、電気機器側と接地側との接続及び切断を検出して、電気機器側と接地側が接続されているときには電気機器の運転を可能とし、切断されているときには電気機器の運転を不可能にしているので、一旦電気機器側と接地側を切断する作業を行った後、再び電気機器の運転を再開する場合に接地の接続作業を忘れることがなく、確実に電気機器が接地された状態で運転されるので、接地忘れによる感電事故や漏電火災を防止することができる。
【発明を実施するための最良の形態】
【０００９】
以下、本発明の実施の形態について、図面を参照して説明する。図１乃至図３において、絶縁材料からなる基台１１には、４本のボルト１２ａ、１２ｂ、１２ｃ、１２ｄが基台１１からネジ部が突出するように埋め込まれている。両端のボルト１２ａ、１２ｄと中央側のボルト１２ｂ、１２ｃとにおいて、それぞれ隣り合うボルト１２ａと１２ｂ及び１２ｃと１２ｄにはそれぞれ金属製の接続プレート１３が装着されており、ワッシャ１５及びスプリングワッシャ１６を介してナット１４により固定されている。そして、このように接続プレート１３により連結された組み合わせの内の一組は、電気機器側と接続される機器側端子部であり、他方の一組は接地側と接続される接地側端子部である。
【００１０】
各ボルト１２ａ、１２ｂ、１２ｃ、１２ｄには、前記ナット１４の上部に２枚のワッシャ１７、スプリングワッシャ１８及びナット１９が装着される。そして、両端のボルト１２ａ及び１２ｄのワッシャ１７の間には、それぞれ電気機器側の配線と接地側の配線が挟み込まれて接続され、中央側のボルト１２ｂ及び１２ｃのワッシャ１７間には、金属製の可動プレート２０が挟み込まれる。
【００１１】
可動プレート２０には、一端部にＵ字状溝２１が形成されており、一方他端部には長孔２２が形成されている。そして、Ｕ字状溝２１にはボルト１２ｃが遊挿され、一方、長孔２２にはボルト１２ｂが遊挿される。そして、この可動プレート２０は、ボルト１２ｂ及びボルト１２ｃに備えたナット１９を締め込むことにより両ボルト１２ｂ、１２ｃ間に固定されるとともに、両ボルト１２ｂ、１２ｃ間が電気的に接続された状態となる。一方、この両ナット１９を緩めると可動プレート２０は、ボルト１２ｂを支点として回動可能となり、２点鎖線で示すようにボルト１２ｃとの連結を解除することにより、両ボルト１２ｂ、１２ｃ間を電気的に切断することができる。
【００１２】
次に、基台１１の側面には絶縁材料からなるＬ字形状のブラケット２３が固着されており、このブラケット２３の上部には、可動プレート検出手段であるマイクロスイッチ２４が固着されている。ここで、マイクロスイッチ２４のアクチュエータ部２５に備えた樹脂製のローラ２６は、可動プレート２０の側面と接する位置に設定されており、可動プレート２０がボルト１２ｂと１２ｃとを連結した状態でローラ２６が当接し、マイクロスイッチ２４がＯＮの状態となる。そして、可動プレート２０の連結が解除されると、前記ローラ２６は可動プレート２０と離反し、マイクロスイッチ２４はＯＦＦの状態となる。
【００１４】
このマイクロスイッチ２４は、電気機器側の運転保安回路に接続されており、マイクロスイッチ２４がＯＮのときは運転保安回路が成立して電気機器の運転が可能となり、一方マイクロスイッチ２４がＯＦＦのときは運転保安回路が成立せず運転が不可能になるようにしている。すなわち、可動プレート２０がボルト１２ｂと１２ｃを連結し、電気機器側と接地側が連結されると電気機器の運転が可能であり、可動プレート２０の連結が解除されて電気機器側と接地側が切断されると電気機器の運転を不可能にしているのである。
【００１５】
以上のように構成された接地用端子装置を用いて、長期にわたって電気機器の運転を行わないときには、可動プレート２０の連結を解除して電気機器側と接地側の接続を切断しておけば、運休中に落雷があっても接地側からの雷サージの進入を防止することができ、電気機器の損傷を防止することができる。そして、運転の再開時には上記したように、可動プレート２０が接続された状態でなければ運転が不可能とされており、可動プレート２０を復帰させ、電気機器側と接地側との接続が確実に行われた後に運転が行われるので、電気的に安全な状態での運行が可能となる。
【図面の簡単な説明】
【００１６】
【図１】接地用端子装置の平面図
【図２】接地用端子装置の正面図
【図３】図２におけるＡ−Ａ矢視図
【符号の説明】
【００１７】
１１  基台
１２ａ、１２ｂ、１２ｃ、１２ｄ  ボルト
１３  接続プレート
１４  ナット
１５  ワッシャ
１６  スプリングワッシャ
１７  ワッシャ
１８  スプリングワッシャ
１９  ナット
２０  可動プレート
２１  Ｕ字状溝
２２  長孔
２３  ブラケット
２４  マイクロスイッチ
２５  アクチュエータ部
２６  ローラ
【図１】
0004805020.tif 000002
【図２】
0004805020.tif 000003
【図３】
0004805020.tif 000004